(57)【要約】【課題】本発明は、１つの散水部によって、殺菌水と温水を散水可能とし、且つ所望濃度の殺菌水を安定して生成することが可能な浴室システムを提供する。【解決手段】制御装置は、浴室の洗い場床上に殺菌水を散水する殺菌モード中は、切替え手段によって給水管路内の水のみを供給する状態にするとともに、電解槽の電極間に電流を印加する状態とし、浴室の洗い場床上に温水を散水する床暖房モード中は、切替え手段によって給湯管路内の温水のみを供給する状態にするとともに、電解槽の電極間に電流を印加しない状態とすることを特徴とする。【選択図】図１
2009209654.tif 000002
【特許請求の範囲】
【請求項１】
浴室の洗い場床上に殺菌水と温水とを散水可能な浴室システムであって、
殺菌水および温水を洗い場床上に散水する散水部と、
前記散水部の上流側に配置され、抗菌性金属で形成された一対の電極を有する電解槽と、
前記電解槽の上流側に接続され、給水管路および給湯管路が合流する合流部を有する配管系統と、
前記散水部に、前記給水管路内の水のみを供給する状態と、前記給湯管路内の温水のみを供給する状態とに切替え可能な切替え手段と、
前記電解槽と、前記切替え手段とを制御するとともに、前記一対の電極間の電気伝導度に応じて印加する電流値を制御する制御装置と、を備え、
前記制御装置は、浴室の洗い場床上に殺菌水を散水する殺菌モード中は、前記切替え手段によって前記給水管路内の水のみを供給する状態にするとともに、前記電解槽の電極間に電流を印加する状態とし、
浴室の洗い場床上に温水を散水する床暖房モード中は、前記切替え手段によって前記給湯管路内の温水のみを供給する状態にするとともに、前記電解槽の電極間に電流を印加しない状態とする
ことを特徴とする浴室システム。
【発明の詳細な説明】
【技術分野】
【０００１】
本発明は、浴室の洗い場を殺菌するための殺菌水と、浴室の洗い場を床暖房するための温水（湯）を散水することが可能な浴室システムに関する。
【背景技術】
【０００２】
従来、殺菌性物質又はイオンを含有する殺菌水を散布して、浴室の細菌の発生を抑制する浴室防汚装置が提案されている（例えば、特許文献１参照。）。
斯かる浴室防汚装置においては、殺菌水を霧状、粒状、流水状等の形態で、浴室壁や洗い場床に散布することにより、細菌に起因する浴室壁や洗い場床の表面に生じる汚れを防止することができることが開示されている。
【０００３】
また、浴室の洗い場床上に温水を散湯することで、床暖房を行うことができる床散湯システムが提案されている（例えば、特許文献２参照。）。
斯かる床散湯システムにおいては、散湯することで、冬場に入浴する場合に、洗い場床面が冷たく寒気を感じたり、洗い場床面上に残っていた冷たい水滴により寒気を感じることを防止できることが開示されている。
【特許文献１】特開平９−２２０２７３号公報
【特許文献２】特開２００１−７４２６１号公報
【発明の開示】
【発明が解決しようとする課題】
【０００４】
殺菌水を抗菌性金属で形成された電極の溶出によって生成する簡易的な方法では、供給される水の水質によって、印加した電流に対しての銀イオンの溶出量が異なる。そのため、水の電気伝導度を検出し、それに応じた電流値をかけることによって、水質に応じた電流値制御を行うことが必要となる。
【０００５】
このような、電気伝導度を検出して、それに応じた電流値を印加することで所望濃度の殺菌水を生成する方法において、供給された水の温度が異なると、水質が同じであっても検出される電気伝導度の値が変化してしまい、所望の濃度の殺菌水を安定して生成できないおそれがある。つまり、電極間に電流を印加する際に供給される水が、給水管からの冷水（水道水温度）であったり、床暖房に必要な給湯管からの温水であったりすると問題が生じる。
【０００６】
従って、所望の濃度の殺菌水を生成するためには、殺菌水用の散水部と、床暖房用の散水部を別個に設け、殺菌水用の散水部には温水が通らないようにし、電極間に電流を印加する際に供給される水温を一定にすることが考えられるが、散水部が複数必要となり、好ましくない。以上の点に鑑み、本発明によれば、１つの散水部によって、殺菌水と温水を散水可能とし、且つ所望濃度の殺菌水を安定して生成することが可能な浴室システムを提供する。
【課題を解決するための手段】
【０００７】
本発明の一態様によれば、浴室の洗い場床上に殺菌水と温水とを散水可能な浴室システムであって、殺菌水および温水を洗い場床上に散水する散水部と、前記散水部の上流側に配置され、抗菌性金属で形成された一対の電極を有する電解槽と、前記電解槽の上流側に接続され、給水管路および給湯管路が合流する合流部を有する配管系統と、前記散水部に、前記給水管路内の水のみを供給する状態と、前記給湯管路内の温水のみを供給する状態とに切替え可能な切替え手段と、前記電解槽と、前記切替え手段とを制御するとともに、前記一対の電極間の電気伝導度に応じて印加する電流値を制御する制御装置と、を備え、前記制御装置は、浴室の洗い場床上に殺菌水を散水する殺菌モード中は、前記切替え手段によって前記給水管路内の水のみを供給する状態にするとともに、前記電解槽の電極間に電流を印加する状態とし、浴室の洗い場床上に温水を散水する床暖房モード中は、前記切替え手段によって前記給湯管路内の温水のみを供給する状態にするとともに、前記電解槽の電極間に電流を印加しない状態とすることを特徴とする浴室システムを提供する。
【発明の効果】
【０００８】
本発明に係る浴室システムによれば、１つの散水部によって、殺菌水と温水を散水可能とし、且つ所望濃度の殺菌水を安定して生成することが可能な浴室システムを提供することができる。
【発明を実施するための最良の形態】
【０００９】
本発明に係る浴室システムの一実施形態について、添付図面を参照して説明する。
【００１０】
図１は、本実施形態に係る浴室システムの全体的な概要を示すものである。この浴室システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１とから構成される。洗い場床３は、排水ピット７内に向かって排水用の下り勾配が取られている。ここで、浴室カウンタ５は、第２の壁面４２に取り付けられており、浴槽２のリム２ａより低い位置に配置されている。
【００１１】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップ（図示せず）が取設される排水ピット７が設けられ、排水ピット７上面には、洗い場床上の水が排水ピット７内に流入可能な程度の隙間を空けて排水蓋８が載置される。給湯機４４は、上流の給水管４５および下流の給湯管１６と繋がっている。また、風呂往き管４７と風呂戻り管４８を通じて浴槽２と繋がっている。給湯機４４で加熱された湯は給湯管１６を通じて、洗い場水栓から出湯される。また、浴室には浴室リモコン４９が設置されている。浴室リモコン４９は、通信線５０を通じて、給湯機４４の制御部（図示せず）と双方向で通信している。また、給湯機４４の制御部により、給湯機４４から風呂往き管４７と風呂戻り管４８を通じて浴槽２へのお湯はり運転を行ったり、また、浴槽水の追焚運転を行ったりする。
【００１２】
浴室リモコン４９には、給湯設定温度などを表示する表示部５１と、運転スイッチ５２と、運転スイッチ５２がＯＮ状態の時に点灯する点灯部５２ａと、湯はりスイッチ５３と、湯はりスイッチ５３がＯＮ状態の時に点灯する点灯部５３ａと、追焚スイッチ５４と、追焚スイッチ５４がＯＮ状態の時に点灯する点灯部５４ａと、音声を発生させたりブザー音を鳴動させるためのスピーカー５５と、給湯設定温度を設定するための給湯温度設定スイッチ５６ａ、５６ｂが備えられている。
【００１３】
浴室殺菌装置１は、制御ボックス（制御装置）１０と、機能ユニット１１と、散水部１２と、リモコン１３とを備える。
制御ボックス１０は、浴室の天井裏に設置され、リモコン１３からの指示により、機能ユニット１１内の後述する電磁弁及び電解槽を制御する。機能ユニット１１は、殺菌水を生成するユニットであり、浴室カウンタ内に内蔵され、その先端には殺菌水を散布する散水部１２が接続される。
【００１４】
リモコン１３は、浴室前の更衣室等の壁面に設置され、スイッチ１３ａとＬＥＤ１３ｂとを備える。殺菌モードのスイッチ１３ａをＯＮにすると、電解槽の電解が作動を開始するとともに、ＬＥＤ１３ｂが点灯し、電解槽の電解が作動中であることを表示する。またリモコン１３には、床暖房モードの床暖房スイッチ７０が設けられ、床暖房スイッチ７０が押されると、洗い場床に散水部１２から、適温の湯が散水される。
【００１５】
浴室カウンタ５内部には、図２に示すように、洗い場水栓に給水／給湯する給水管１５及び給湯管１６が配管される。給水管１５は、給水管分岐部７５で分岐されて、機能ユニット１１に水を供給する水道水導入管１７が接続される。この水道水導入管１７の途中には止水栓１８が設けられ、この止水栓１８を閉めることにより、機能ユニット１１を取り外す際にも、浴室の通常の使用に支障を来さないようになっている。また、水道水導入管１７には第一電磁弁２２が設けられ、その先に合流部７４を設けて、給湯水導入管７２と合流する。給湯管１６は、給湯管分岐部７１で分岐し、給湯水導入管７２に接続される。給湯水導入管７２には、第二電磁弁７３が設けられ、合流部７４で水道水導入管１７と合流する。尚、本実施形態における切替え手段は、第一電磁弁２２と第二電磁弁７３から構成される。また、本実施形態における配管系統は、水道水導入管１７および給湯水導入管７２および合流部７４とで構成される。
【００１６】
以上に述べた配管図を図３にまとめた。給水管１５が、給水管分岐部７５で分岐して、一方は洗い場水栓７７へ、もう一方は散水部１２から殺菌水となって吐水される。給湯管１６は、給湯管分岐部７１で分岐し、一方は洗い場水栓７７へ、もう一方は散水部１２から洗い場床を温めるお湯（温水）として吐水される。
【００１７】
水道水導入管１７により導入された水は、機能ユニット１１内において殺菌水に変成され、殺菌水導出管１９を経由して散水部１２へと送られる。
【００１８】
機能ユニット１１は、図４（ａ）に示すように、ケース２０内に、水道水導入管１７に接続する流入口２１を介して順に、定流量弁２３、大気開放弁２４、逆止弁２５、及び電解槽２６が連通され、電解槽２６は、流出口２７を介して殺菌水導出管に接続される。ここで、流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００１９】
機能ユニット１１は、ケース２０内にウレタン樹脂２８が充填されて、防水構造とされている。これにより、電気部品の端子部の防水と、通水部からの漏水が防止される。
【００２０】
また、図４（ｂ）に示すように、機能ユニット１１の大きさを最小とすべく、流入ロ２１と流出口２７の軸が、ケース２０の対角に位置するように配設される。
【００２１】
リモコン１３のスイッチ１３ａ（殺菌モード）が押されると、制御ボックス１０からの指示により水道水導入管１７にある第一電磁弁２２が開く。そして、電磁弁２２が開くことにより通水され、定流量弁２３により流量が一定に保たれる。これにより、生成される殺菌水の濃度が一定に保たれると同時に、散水部１２から散布される殺菌水の水圧も一定に保たれ、所望の範囲に殺菌水を散布することが可能となる。
【００２２】
通水状態になると、電解槽２６の電極２９に通電が開始され、電極２９の電気分解が行われて銀イオンが発生する。銀イオンを含有する水は殺菌水として散水部１２へ送られる。こうして生成された殺菌水は、逆止弁２５により給水管１５へと逆流することが防止される。
【００２３】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００２４】
電解槽２６の電極２９は、銀、銀合金または銀メッキ金属により形成され、電極２９の電気分解が行われると銀イオンが発生する。この電極２９は、図５（ａ）に示すように、電極２９同士が水平になるような位置関係で設置されている。これにより、図５（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２５】
リモコン１３の床暖房スイッチ７０（床暖房モード）が押されると、制御ボックス１０からの指示により給湯機４４が作動し、給湯水導入管７２にある第二電磁弁７３が開く。そして、電磁弁７３が開くことにより給湯水が通水され、定流量弁２３により流量が一定に保たれる。これにより、散水部１２から散布される湯の水圧が一定に保たれ、所望の温度の湯を、所望の範囲に散布することが可能となる。湯の温度は、リモコン１３から指定できるように、湯温設定手段をリモコン１３に搭載するのが好ましい。その場合、湯温設定領域に上限を設け、高温の湯が出て、人がやけどするのを防止する。
【００２６】
散水部１２からは、殺菌水と湯が散水される。以下は殺菌水を散水する場合を記述するが、散水部は共通であるため、湯を散水する場合にもあてはまる。散水部１２は、図６に示すように、大別して、殺菌水導出管１９に接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図８参照）。回転体３１はこのように取り外し可能かつ分解可能に形成されているので、その内部及びボディ３０の先端を清掃することができる。
【００２７】
回転体３１（の下側部材３３）には、図７（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００２８】
これらのうち、液体噴出孔３３ａは、図７（ｂ）に示すように、水平に開口するものの、液体噴出孔３３ｂは、図７（ｃ）に示すように、仰角４°に開口する。また、液体噴出孔３３ｃは、図７（ｄ）に示すように、仰角８°に、液体噴出孔３３ｄは、図７（ｄ）に示すように、仰角１２°にそれぞれ開口する。
【００２９】
これにより、洗い場床３の散水部近傍から遠方まで、万遍なく散布することができる。なお、各液体噴出孔の仰角は、散布する洗い場床の広さに応じて適宜決定される。
【００３０】
ところで、ボディ３０の先端は、図８に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００３１】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００３２】
本実施の形態に係る浴室システムは上記のように構成されており、以下その殺菌水散布状態について説明する。図９は、殺菌水の散布状態を示す平面図であり、図１０は同立面図である。
【００３３】
図９に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００３４】
これに対し、図９に示すＦのエリアには、殺菌水は直接散布されない。このエリアには、図１０に示すように、散水部１２より奥側で浴室カウンタが取設される第２の壁面４２、第２の壁面近傍側の第１の壁面４、または第２の壁面近傍側のバスエプロン６に当たり跳ね返った水、及び跳ね返った後そこから洗い場床３の勾配に沿って流れ下る殺菌水により洗浄される。このように、散水部１２が回転して吐水する形態であるため、散水部から離れたエリアＧ，Ｈ，Ｉ，Ｊエリア用の液体噴出孔を設けておけば、必然的に散水部１２近傍の洗い場床上は、大量の殺菌水が流れることになる。これにより、洗い場床上全面に殺菌水を行き渡らせることが可能となる。特に、水道圧力のみで、散水部１２遠方側まで殺菌水を散布するためには、液体噴出孔の総孔面積に限界があるが、本実施形態では、散水部から離れたエリアＧ，Ｈ，Ｉ，Ｊエリア用の液体噴出孔のみで足りるため、水道水圧のみで洗い場床の全面に殺菌水を行き渡らせることができる。
【００３５】
この点、散水部１２は、浴槽２と洗い場床３を隔てて対向する壁面４近傍、すなわち、排水ピット７と対角位置となるに水上に取設されるので、散水部近傍においても殺菌水が廻らないエリアはない。
【００３６】
また、散水部１２は、浴室カウンタ５下部に取設されるので、浴室カウンタ５下部が陰になって、殺菌水が廻らないということもない。
【００３７】
他方、液体噴出口３３ｄの仰角は一定以下に抑えられるので、無闇に広いエリアに散布することはなく、経済的であるばかりでなく、図１０に示すように、殺菌水は最高位置でも浴槽２のリム２ａの高さを超えないので、風呂蓋に殺菌水がかかることもない。
【００３８】
さらに、殺菌水は、バスエプロン６に向かっても散布されるので、図１１に示すように、排水ピット７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水ピットにおけるバスエプロン６側の端辺であって、特にその中央付近は洗い場床上を流れた殺菌水が流れにくい。）も洗浄することができる。
【００３９】
銀イオンを溶出する際の電解制御内容について記載する。銀イオンを電解溶出する場合、水中の塩素イオンが銀イオンの電解反応を阻害するため、水質によって、印加した電流に対しての銀イオンの溶出効率が異なってくる。すなわち、塩素イオンが高い濃度で含まれる水では、銀の電解効率が下がるため、一定範囲の銀イオン濃度を出すにはより大きな電流を印加する必要がある等、所望の濃度の銀イオン水を得るためには、水質に応じて投入する電流値を変化させる必要ある。
【００４０】
この問題を解決するものとして、塩素イオン濃度と相関の高い、水の電気伝導度を検出して、それに応じた電流値をかけることによって、水質に応じた電流値制御を行っている。
【００４１】
図１２は制御ボックス１０の構成要素を表す。制御ボックス１０は、電源８０に漏電ブレーカ８１を介して接続された制御基板８２を主要構成要素とする。制御基板８２は、リモコン１３からの指示により、電磁弁２２を開閉するとともに、銀電解槽２６の電極２９間に電圧を印加する。制御基板８２は、また、通電時の電極２９間の電流、電圧値を受信する。制御基板８２内には、マイコン（図示せず）の他、カウンタ８３、ＥＥＰＲＯＭ８４、及びＲＯＭ８５が設けられる。カウンタ８３は、リモコン１３のスイッチ１３ａがＯＮされる毎にインクリメントし、電気分解が実施された回数を記録する。
【００４２】
制御基板８２は、通電時の電極２９間の電流、電圧値を基に電気伝導度（１／ｋΩ）を算出し、その値をＥＥＰＲＯＭ８４に記憶する。
【００４３】
ＲＯＭ８５には、銀イオン濃度が所定の値（ｐｐｂ）になる電導度（１／ｋΩ）と電流値（ｍＡ）との関係の制御テーブルが予め複数記憶されている。図１３にその制御テーブルの一例を示す。なお、銀イオン濃度の所定の値とは、概ね５０〜１００ｐｐｂである。塩素イオン濃度が高い場合は、銀イオンの電解溶出効率が下がるため、電解電流値を上げることで銀イオン溶出効率の低下を補強し、ほぼ一定の銀イオン濃度を溶出する。水中の塩素イオンは、電気伝導度と相関がある。よって、これこれの電気伝導度が検出された場合にはこれこれの電流値を流しましょう、という電流値補正をリストしたものがこの制御テーブルである。
【００４４】
図１４は図１３の制御テーブルに反映される電気伝導度と電流値の相関を表す。本実施例では、電気伝導度がｂ値より低い水では、定電圧制御を行う。ｂ値以下の水は、水中の溶存イオンが非常に少ない水道水が対応する。電気伝導度がｂ値以上ａ値以下の場合は、電気伝導度に関わらず一定の電流値で定電流制御を行う。日本の水道水の大部分はこの領域に相当し、同じ電流値で、ほぼ一定範囲の銀イオン濃度が溶出できる。電気伝導度がa値以上の場合、電気伝導度に比例して電流値を大きくする。電気伝導度をｋ（１／ＫΩ）、電流値をＩ（ｍＡ）とするとＩ＝ｓ×ｋ＋（ｓ、ｔは定数）の一次式で電流値は決定される。この領域は塩素イオン濃度が高く、銀の溶出効率が下がるため、電流値を上げることで溶出効率の低下を補う。
【００４５】
図１５は水の電気伝導度を検出して、制御式から電流値を自動算出する殺菌水生成装置による銀イオン濃度制御フローチャートを示す。電解槽２６を通過する水に対し、電極２９において電流、電圧特性が計測される。検出した電気伝導度の値がａ値（１／ＫΩ）以下の場合、一定電流Ｉａをかける。ただ電導度ｂ値（１／ＫΩ）以下では、一定電流Ｉａをかけるには最大電圧Ｖａをオーバーする領域なため、最大電圧Ｖａでの定電圧制御を行う。電気伝導度がａ値（１／ＫΩ）以上であれば、電気伝導度−電流値から算出された電流値を所定時間（洗い場床３に殺菌水を吐水する時間）、一定になるように制御する。
【００４６】
制御基板には、これらに加え、ＤＩＰスイッチ８６が設けられ、リモコン１３のスイッチ１３ａでできる操作以外の操作も可能となっている。
【００４７】
図１７は、洗い場殺菌スイッチ（殺菌モード）がＯＮされた時のフローチャートである。洗い場殺菌ＳＷがＯＮされると、電磁弁７３が閉じている時のみ、電磁弁２２を開き、電解槽２６内に給水管路内の水のみを供給する状態とする。そして、電解槽２６の電極間に電流を印加することで生成された殺菌水を散水部１２から吐水する。電磁弁２２を開、殺菌水生成装置の運転をＯＮにしたと同時に、タイマーを作動させ、タイマーが所定時間をカウントしたら、電磁弁２２を閉じ、殺菌水生成装置を停止し、運転を終了する。このようにすることで、殺菌モード時は、電解槽内に給水管からの水のみが流入することになるため、大きな温度変化がないため、温度センサーなどを設けることなく安定した濃度の殺菌水を散水することが可能となる。
【００４８】
図１８は、床暖房スイッチ（床暖房モード）がＯＮされた時のフローチャートである。床暖房ＳＷがＯＮされると、電磁弁２２が閉じている時のみ、給湯機４４をＯＮし、電磁弁７３を開いて、給湯管路内の温水のみを電解槽２６内に供給する状態にする。尚、この時、電解槽の電極間には電流を印加しない。この結果、散水部１２から湯を洗い場に吐水する。タイマーが所定時間をカウントしたら、電磁弁７３を閉じ、湯の吐水を停止し、運転を終了する。
【００４９】
本実施例における殺菌水としては、殺菌性物質又はイオンを含有する水を例示することができる。具体的には、抗菌性金属（例えば、銀、銅、亜鉛等）などを挙げることができる。
【００５０】
尚、上述した本実施形態による浴室システムによれば、以下の効果が得られる。１つの散水部によって、殺菌水と温水を散水可能とし、且つ所望濃度の殺菌水を安定して生成することが可能な浴室システムを提供することができる。
【図面の簡単な説明】
【００５１】
【図１】本発明に係る浴室システムの一実施形態の全体概要を示す図。
【図２】浴室カウンタ裏面に取設された機能部を示す図で、（ａ）は平面図、（ｂ）は正面図、（ｃ）は側面図。
【図３】浴室カウンタ裏面に取設された配管の概略図。
【図４】機能部の詳細を示す図で、（ａ）は正面図、（ｂ）は側面図図。
【図５】銀電極の配置を模式的に説明する図。
【図６】散布ノズルの構成を示す図。
【図７】散布ノズルの回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図８】散布ノズルの分解断面図。
【図９】殺菌水の散布状態を示す平面図。
【図１０】殺菌水の散布状態を示す立面図。
【図１１】排水ピット廻りにおける殺菌水の散布状態を示す斜視図。
【図１２】殺菌水生成装置の制御系統を示すブロック図。
【図１３】制御基板に記憶された制御テーブルの一例を示す図。
【図１４】電気伝導度と電流値との関係を表すグラフ。
【図１５】殺菌水生成装置による銀イオン濃度制御フローチャート。
【図１６】洗い場殺菌ＳＷがＯＮされた時のフローチャート。
【図１７】床暖房ＳＷがＯＮされた時のフローチャート。
【符号の説明】
【００５２】
１  浴槽殺菌装置
２  浴槽
２ａ  リム
３  洗い場床
４  第１の壁面
５  浴室カウンタ
６  バスエプロン
７  排水ピット
８  排水蓋
１０  制御ボックス
１１  機能ユニット
１２  散布部
１３  リモコン
１３ａ  スイッチ
１３ｂ  ＬＥＤ
１３ｃ  報知手段
１５  給水管
１６  給湯管
１７  水道水導入管
１８  止水栓
１９  殺菌水導出管
２０  ケース
２１  流入口
２２  第一電磁弁
２３  定流量弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第二の壁面
４４  給湯機
４５  給水管
４７  風呂往き管
４８  風呂戻り管
４９  浴室リモコン
５０  通信線
５１  表示部
５２  運転スイッチ
５３  湯はりスイッチ
５４  追焚スイッチ
５５  スピーカー
５６ａ、５６ｂ  給湯温度設定スイッチ  
７０  床暖房スイッチ
７１  給湯管分岐部
７２  給湯水導入管
７３  第二電磁弁
７４  合流部
７５  給水管分岐部
７７  洗い場水栓
８０  電源
８１  漏電ブレーカ
８２  制御基板
８３  カウンタ
８４  ＥＥＰＲＯＭ
８５  ＲＯＭ
８６  ＤＩＰスイッチ
【図１】
2009209654.tif 000003
【図２】
2009209654.tif 000004
【図３】
2009209654.tif 000005
【図４】
2009209654.tif 000006
【図５】
2009209654.tif 000007
【図６】
2009209654.tif 000008
【図７】
2009209654.tif 000009
【図８】
2009209654.tif 000010
【図９】
2009209654.tif 000011
【図１０】
2009209654.tif 000012
【図１１】
2009209654.tif 000013
【図１２】
2009209654.tif 000014
【図１３】
2009209654.tif 000015
【図１４】
2009209654.tif 000016
【図１５】
2009209654.tif 000017
【図１６】
2009209654.tif 000018
【図１７】
2009209654.tif 000019